(57)【要約】【課題】高湿状態時であっても、板部材と羽根部材の密着力を減少させ、羽根部材のスムーズな駆動を行うことができる撮像装置の光量調節装置とする。【解決手段】開口部５ａを有する地板５と、光軸方向において開口部５ａと重複する位置を含む範囲を移動可能であり、開口部５ａと重複することで開口部５ａへの入射光量を制限する羽根部材１と、羽根部材１に隣接するとともに、羽根部材１が所定位置にある状態において、羽根部材１と光軸方向において重複する位置に切欠き部２ａを形成した板部材２とを有している。【選択図】図１
2006065297.tif 000002
【特許請求の範囲】
【請求項１】
開口部を有する地板と、
光軸方向において前記開口部と重複する位置を含む範囲を移動可能であり、前記開口部と重複することで前記開口部への入射光量を制限する羽根部材と、
前記羽根部材に隣接するとともに、前記羽根部材が所定位置にある状態において、該羽根部材と光軸方向において重複する位置に切欠き部を形成した板部材と、
を有することを特徴とする撮像装置に用いられる光量調節装置。
【請求項２】
前記羽根部材の所定位置とは、前記羽根部材が前記開口部の入射光量を制限しない位置であることを特徴とする請求項１に記載の光量調節装置。
【請求項３】
前記羽根部材が前記開口部の入射光量を制限しない位置にある状態での前記羽根部材と前記切欠き部の重なり量は、前記羽根部材が前記開口部の入射光量を制限する位置にある状態での前記羽根部材と前記切欠き部の重なり量よりも、大きいことを特徴とする請求項２に記載の光量調節装置。
【請求項４】
前記羽根部材と前記切欠き部の重なり量は、前記羽根部材が前記開口部の入射光量を制限しない位置にある状態状態で最も大きくなることを特徴とする請求項２に記載の光量調節装置。
【請求項５】
前記羽根部材と前記切欠き部の重なり量は、前記光量調節装置への駆動信号が供給されていない状態で最も大きくなることを特徴とする請求項２に記載の光量調節装置。
【請求項６】
前記羽根部材は、前記開口部への入射光量を減少させる絞り羽根か、前記開口部への入射光を遮るシャッタ羽根の、少なくともいずれか一方であることを特徴とする請求項１乃至５のいずれかに記載の光量調節装置。
【請求項７】
前記羽根部材は前記開口部への入射光量を減少させる絞り羽根であり、前記板部材は該絞り羽根と前記開口部への入射光を遮るシャッタ羽根の間に配置された仕切り板であることを特徴とする請求項１乃至５のいずれかに記載の光量調節装置。
【請求項８】
前記羽根部材と前記板部材は、対向する面が互いに平面で構成されており、前記板部材は該平面の一部において前記切欠き部を備えていることを特徴とする請求項１乃至７のいずれかに記載の光量調節装置。
【請求項９】
開口部を有する地板と、
光軸方向において前記開口部と重複する位置を含む範囲を移動可能であり、前記開口部と重複することで前記開口部への入射光量を制限する羽根部材と、
前記羽根部材に隣接するとともに、前記羽根部材が所定位置にある状態において、該羽根部材と光軸方向において重複する位置に切欠き部を形成した板部材と、
を備えた光量調節装置を有し、
前記光量調節装置によって撮像手段に到達する光量を制御することを特徴とする撮像装置。
【請求項１０】
前記羽根部材の所定位置とは、前記羽根部材が前記開口部の入射光量を制限しない位置であることを特徴とする請求項９に記載の撮像装置。
【請求項１１】
前記羽根部材が前記開口部の入射光量を制限しない位置にある状態での前記羽根部材と前記切欠き部の重なり量は、前記羽根部材が前記開口部の入射光量を制限する位置にある状態での前記羽根部材と前記切欠き部の重なり量よりも、大きいことを特徴とする請求項１０に記載の撮像装置。
【請求項１２】
前記羽根部材と前記切欠き部の重なり量は、前記羽根部材が前記開口部の入射光量を制限しない位置にある状態状態で最も大きくなることを特徴とする請求項１０に記載の撮像装置。
【請求項１３】
前記羽根部材と前記切欠き部の重なり量は、前記撮像装置の電源がオフされている状態で最も大きくなることを特徴とする請求項１０に記載の撮像装置。
【請求項１４】
前記羽根部材は、前記開口部への入射光量を減少させる絞り羽根か、前記開口部への入射光を遮るシャッタ羽根の、少なくともいずれか一方であることを特徴とする請求項９乃至１３のいずれかに記載の撮像装置。
【請求項１５】
前記羽根部材は前記開口部への入射光量を減少させる絞り羽根であり、前記板部材は該絞り羽根と前記開口部への入射光を遮るシャッタ羽根の間に配置された仕切り板であることを特徴とする請求項９乃至１３のいずれかに記載の撮像装置。
【請求項１６】
前記羽根部材と前記板部材は、対向する面が互いに平面で構成されており、前記板部材は該平面の一部において前記切欠き部を備えていることを特徴とする請求項９乃至１５のいずれかに記載の撮像装置。
【発明の詳細な説明】
【技術分野】
【０００１】
本発明は、デジタルカメラ等に具備される光量調節装置、およびこれを備えた撮像装置に関するものである。
【背景技術】
【０００２】
近年、フィルムを使用せずに画像をメモリに取り込むことができるデジタルカメラが急速に普及している。このデジタルカメラの中には、被写体輝度によって絞り羽根を光線内に出し入れし、撮像素子に到達する光量を変化させる機能を有するものがある。この際、専用の電磁アクチュエータにより絞り羽根を駆動して光量調節を行うのが一般的である。また、ＣＣＤを内蔵するデジタルカメラやビデオカメラ等でよく用いられるように、絞り羽根の一部に入射光量を減少させる働きを有するＮＤフィルターが接着してあり、絞り羽根によって形成される絞り開口部が、ある大きさ以下になると、絞り開口部の中にＮＤフィルターが挿入されてくるような露出構造を用いる装置がある。
【０００３】
上記絞り羽根は、シャッタユニットとして構成されていることが一般的であり、その代表的な構成を示すと、地板に対しシャッタ羽根が組み込まれ、その上に仕切り板を載せ、さらにその上に絞り羽根を載せ、シャッタカバーで蓋をする。シャッタ羽根及び絞り羽根を駆動するアクチュエータは地板に対してシャッタ羽根及び絞り羽根と光軸方向反対側に配置されている。
【０００４】
このようなデジタルカメラ等の撮影装置を湿度の高い場所などの過酷な環境下で使用した場合、カメラ内部に結露が生じ、内部機能に不都合が生じる場合がある。この点に鑑み、従来、カメラボディ内に空気を出入りさせるための通気孔を設け、内部湿度が上昇するのを抑えたり、特許文献１に示すように、カメラボディ内の結露を検知するための結露検知手段を設けたりして、その対策を講じるようにしている。
【特許文献１】特開２０００−１７１８７４号公報
【発明の開示】
【発明が解決しようとする課題】
【０００５】
しかしながら、結露防止用の通気孔を空ける方法では、カメラの小型化が進んでいる状況では、通気孔を空けるスペースも限られていて効果的に配置できる割合が少なくなっている。また、コスト競争が激化しており、低コスト化が望まれている現状では結露検出センサを配置することは難しく、そのためのスペースを確保することも困難になっている。
【０００６】
また、上記シャッタユニットとして構成した場合、結露が発生して絞り羽根と仕切り板が密着した場合、絞り羽根の駆動負荷が大きくなり、アクチュエータを大きくして駆動力を増加させたりする必要がある。しかしながら、絞り羽根のアクチュエータを大型にし、絞り羽根と仕切り板の密着力より大きい駆動力で動作させようとした場合には、やはり小型化の関係でスペースが限られている状況では構成できない。
【０００７】
また、絞り羽根と仕切り板の密着をできるだけ防止するようにお互いが接触する位置に絞り羽根に半球上の突起を設ける方法がある。図１５に半球状突起を設けた絞り羽根１’を示す。図１５（ａ）が絞り羽根１’を表側から見た図、図１５（ｂ）が絞り羽根１’を裏側から見た図である。絞り羽根１’は開口部１ａ’とこれを覆うＮＤフィルター９を備えており、片面に半球状突起１ｂ’が設けられている。この半球状突起１ｂ’によって、絞り羽根１’と仕切り板２の接触面積を減らすようにしているので、高湿状態になったときでも、仕切り板２と絞り羽根１’の密着力をより減少させることができ、絞り羽根１’をスムーズに動作させることができる。しかしながら、この場合でも、絞り羽根が撓んだり、倒れたりして、完全に絞り羽根と仕切り板の密着を取り除くことは難しかった。また、小型化が進んでおり、この突起の分のスペースも削除したいという要求もある。
【０００８】
（発明の目的）
本発明の目的は、高湿状態時であっても、板部材と羽根部材の密着力を減少させ、羽根部材のスムーズな駆動を行うことのできる撮像装置の光量調節装置、およびこれを備えた撮像装置を提供しようとするものである。
【課題を解決するための手段】
【０００９】
上記目的を達成するために、本発明の特徴の一つとしては、撮像装置に用いられる光量調節装置において、開口部を有する地板と、光軸方向において前記開口部と重複する位置を含む範囲を移動可能であり、前記開口部と重複することで前記開口部への入射光量を制限する羽根部材と、前記羽根部材に隣接するとともに、前記羽根部材が所定位置にある状態において、該羽根部材と光軸方向において重複する位置に切欠き部を形成した板部材と、を有することを特徴とするものである。
【００１０】
同様に、本発明の特徴の別の一つとしては、上記の光量調節装置を備え、該光量調節装置によって撮像手段に到達する光量を制御することを特徴とする撮像装置とするものである。
【発明の効果】
【００１１】
本発明によれば、高湿状態時であっても、板部材と羽根部材の密着力を減少させ、羽根部材のスムーズな駆動を行うことができる撮像装置の光量調節装置、またはこれを備えた撮像装置を提供できるものである。
【発明を実施するための最良の形態】
【００１２】
以下の一実施例に示す通りである。
【実施例】
【００１３】
図７〜図１１は本発明の一実施例に係わる光量調節装置を具備する撮影装置であるところのデジタルカメラを示す図であり、詳しくは、図７はデジタルカメラのバリアをカメラ本体に対して開放した状態を示した外観斜視図を、図８はデジタルカメラのバリアをカメラ本体に対して閉成した状態を示した外観斜視図を、図９はデジタルカメラのバリアをカメラ本体に対して開放した状態を示したデジタルカメラの上面図を、図１０はデジタルカメラのバリアをカメラ本体に対して閉成した状態を示したデジタルカメラの底面図を、図１１はデジタルカメラの背面図を、それぞれ示している。
【００１４】
本実施例に係わるデジタルカメラ１５は、不使用時には、図８に示すように、撮影レンズ鏡筒１０の前面をバリア１８で覆っており、使用時は、図７に示すように、バリア１８を横にスライドすることで撮影レンズ鏡筒１０を開放する、スライドバリアタイプである。
【００１５】
このデジタルカメラ１５の正面には、被写体の構図を決めるファインダ１４、測光および測距を行う測光・測距部１３、赤目ランプ１６、ストロボ部１７、および、第１レンズ群１０ａを具備する撮影レンズ鏡筒１０を有している（図７参照）。上面には、レリーズボタン１１およびストロボ発光モードボタン１２を有している（図７、図８参照）。側面には、外部入出力端子取付部１９およびストラップ保持部２０を有している（図９、図１０等参照）。底面には、三脚取り付け部２１および後述のメモリカードドライブ、バッテリー挿入部が内部に具備されているカードバッテリーカバー２２を有している（図１０参照）。背面には、操作ボタン２４、ＬＣＤより成るディスプレイ２５、ズームボタン２３およびファインダ接眼部１４ａを有している（図１１参照）。
上記操作ボタン２４により、デジタルカメラの動作モード、例えば撮影モード、再生モード、動画撮影モード等の選択を行う。ディスプレイ２５は、メモリ３４（図１２参照）に保存された画像データやメモリカードドライブから読み込んだ画像データを画面上に表示するとともに、複数の撮影データを縮小して画面表示したりすることもできる。
【００１６】
図１２は上記デジタルカメラ１５の回路構成を示すブロック図であり、図７ないし図１１と同じ部分は同一の符号をしてある。
【００１７】
制御部はＣＰＵ４０、ＲＯＭ３９、ＲＡＭ４１で構成されている。この制御部には、バス３８を介して、レリーズボタン１１、操作ボタン２４、ディスプレイ２５、バリア１８の操作に連動してオンオフする電源スイッチ４５、メモリ３４、圧縮・伸張回路３５、メモリカードドライブ３６の各種構成要素が接続されている。バス３８を介して制御部と接続される駆動回路３７には、ズームモータ２６ａを駆動するズームモータ駆動部２６、フォーカスモータ２８ａを駆動するフォーカスモータ駆動部２８、シャッタ駆動部７、絞り駆動部６が接続されている。そして駆動回路３７は、制御部からの信号に応じて、撮影レンズ鏡筒１０、フォーカス部材２７、シャッタ羽根３、絞り羽根１の駆動を行う。更に、駆動回路３７には、測光部１３ａ，測距部１３ｂ、ＣＣＤやＣＭＯＳ等の光電変換機能を有する撮像デバイス４２、ストロボ部１７も接続されており、駆動回路３７は制御部からの信号により各々の駆動を制御することになる。撮像デバイス４２の出力段には、アナログ信号処理回路３１、Ａ／Ｄ変換部３２およびデジタル信号をメモリ３４へ出力するデジタル信号処理回路３３が接続されている。ＲＯＭ３９には上述の各機能構成要素を制御するプログラムが記憶されており、ＲＡＭ４１には各制御プログラムに必要なデータが記憶されている。
【００１８】
上記構成におけるデジタルカメラ１５において、使用者がバリア１８を図８の状態から図７の状態へスライドさせると、それに連動して電源スイッチ４５がオフからオンに状態変化し、各回路へ電源が供給される。すると、ＣＰＵ４０はＲＯＭ３９から必要な制御プログラムを読み出して初期動作を開始する。つまり、撮影レンズ鏡筒１０を所定の撮影可能領域に移動させ（図７の状態）、撮影スタンバイ状態になる。
【００１９】
撮影を行うために使用者がレリーズボタン１１を押すと、測光部１３ａにより被写体の明るさが検出され、その測光値に基づいて絞り値やシャッタスピード、またストロボ部１７を発光させるかどうかの判定が行われる。また、あらかじめ操作ボタン２４によって使用者がストロボ部１７を強制的に発光させるか、発光させないかを選択することもできる。また同時に、測距部１３ｂにより測距が行われ、被写体との距離を測定して焦点情報を算出し、この焦点情報に基づいて駆動回路３７およびフォーカスモータ駆動部２８を介して所定のフォーカス位置へフォーカス部材２７を移動させる。次に、駆動回路３７およびシャッタ駆動部７を介してシャッタ羽根３の開閉が行われ、所望の画像が撮像デバイス４２に取り込まれる。
【００２０】
撮像デバイス４２には、露光制御値に基づいて入射した光の光量に応じた電荷が蓄積され、その電荷が画像信号となり、アナログ信号処理回路３１へと出力される。アナログ信号処理回路３１では、取り込まれた画像データにアナログ処理を施し、Ａ／Ｄ変換部３２に出力する。Ａ／Ｄ変換部３２では、取り込まれたアナログデータをデジタルデータに変換し、該デジタルデータをデジタル信号処理回路３３に出力する。デジタル信号処理回路３３ではデジタルデータの処理を行い、該デジタルデータはメモリ３４に記憶されることになる。
【００２１】
メモリ３４に記憶されたデジタルデータ（画像データ）は、操作ボタン２４の操作によって圧縮・伸張回路３５によりＪＰＥＧやＴＩＦＦ等の圧縮加工等を施され、次段のメモリカードドライブ３６に記憶される。尚、メモリ３４を持たないデジタルカメラの場合、デジタル信号処理回路３３で処理された画像データは圧縮・伸張回路３５に出力され、メモリカードドライブ３６に記憶されることになる。
【００２２】
また、メモリ３４に記憶された画像データやメモリカードドライブ３６に記憶されている画像データを圧縮・伸張回路３５へ出力することにより、該圧縮・伸張回路３５によって伸張処理され、その画像データがバス３８を介してディスプレイ２５ヘ出力され、その画像が表示されることになる。ディスプレイ２５上の画像を見てその画像が不必要であると判断した場合、使用者が操作ボタン２４の操作によってその画像データを消去することもできる。
【００２３】
デジタルカメラ１５の背面には図１１に示したようにズームボタン２３が配置（図１１参照）されており、該ズームボタン２３が操作されると、駆動回路３７を介してズームモータ駆動部２６およびズームモータ２６ａが制御され、撮影レンズ鏡筒１０がレンズの光軸方向に移動する。また、ディスプレイ２５上に表示されている記憶画像をズームボタン２３の操作で拡大及び縮小、いわゆるデジタルズームを行うこともできる。
【００２４】
ここで、上記デジタルカメラ１５に備えられ、撮像デバイス４２に到達する光量を調整するシャッタ羽根３や絞り羽根１を含む光量調節装置について、図１乃至図４を用いて説明する。
【００２５】
地板５に対して、図１乃至図４に示すように、シャッタ羽根３、仕切り板２、絞り羽根１が組み込まれており、最終的にシャッタカバー４で保持されるようになっている。地板５の背面側には、絞り羽根１を駆動する絞り羽根駆動部６及びシャッタ羽根３を駆動するシャッタ羽根駆動部７が保持されている。
【００２６】
地板５には中心付近に光線を通過させる開口部５ａが設けられており、その前面にはシャッタ羽根３が組み込まれている。シャッタ羽根３は地板５に形成された凹状のスペース部５ｂにて作動可能に構成されており、その前面に仕切り板２が組み込まれる。仕切り板２は地板５上の平面部５ｃに設置されている。仕切り板２の略中心にはこのデジタルカメラ１５の光学的絞りを決定する仕切り板開口部２ｂが形成されている。仕切り板開口部２ｂは地板開口部５ａよりも小さい面積をもっている。仕切り板２の前面に絞り羽根１が組み込まれ、全体をシャッタカバー４により地板５から脱落しないように保持されている。絞り羽根１には仕切り板開口部２ｂより小さい、絞り開口部１ａが形成されている。
【００２７】
シャッタ羽根３は、シャッタ羽根駆動部７により仕切り板開口部２ｂを開閉（塞いだり、開放させたり）する。また、絞り羽根１は、絞り羽根駆動部６により仕切り板開口部２ｂに対して進退（仕切り板開口部２ｂ上に入ったり、退避したり）する。仕切り板２には切欠き部２ａが形成されており、地板５の平面部５ｃ上に設置されるように設けられている。絞り羽根１と仕切り板２は、切欠き部２ａ、仕切り板開口部２ｂを除いて、対向する面が互いに平面で構成されており、図１５のように対向する面の摩擦を減らすための凸部が形成されていないため、その厚みを薄くすることができる。
【００２８】
図２および図３に、光量調節装置を正面から見た図を示す。
【００２９】
図２は、絞り羽根１が仕切り板開口部２ｂ上に移動し、絞り開口部１ａが仕切り板開口部２ｂおよび地板開口部５ａ上に侵入している状態を示す図である。この状態では、仕切り板２に設けられている切欠き部２ａが正面から見えるようになっており、絞り羽根１の絞り開口部１ａは、切欠き部２ａとは重ならずに仕切り板開口部２ｂと重なる位置にある。図３は、絞り羽根１が仕切り板開口部２ｂ上から退避した状態を示す図である。この状態では、仕切り板２に設けられている切欠き部２ａと絞り羽根１が重複するようになっており、絞り羽根１の絞り開口部１ａは、仕切り板開口部２ｂとは重ならずに切欠き部２ａと重なる位置にある。
【００３０】
以上の構成において、図３に示すように絞り羽根１が仕切り板開口部２ｂおよび地板開口部５ａ上から退避した状態で、湿度の高い環境中に置かれるなどした場合、絞り羽根１と仕切り板２の間に結露が発生する可能性がある。しかし、仕切り板２に切欠き部２ａを設けているため、仕切り板２と絞り羽根１が接触する面積を低減することができ、各々の結露による密着力を減少させることができる。よって、結露の生じやすい悪環境時にも、絞り羽根１を駆動させようとするときにスムーズに動作させることができる。また、本実施例では、図１５のように絞り羽根と仕切り板との摩擦を軽減するために突起を設けた場合と異なり、絞り羽根１が仕切り板２によって面で支持されているため、絞り羽根１が撓んでしまうことはない。さらに、突起がない分だけ仕切り板２によって占められる厚みが少なくなり、光量調節装置全体の厚みを薄型化することができる。
【００３１】
なお、この切欠き部２ａは仕切り板２と絞り羽根１が接触する面積を低減するために設けられたものであって、仕切り板２の両側に配置される部材を連結するためにその内部を別の部材が通過したり、別の部材が挿入されたりするものではない。また、図２では絞り羽根１が切欠き部２ａの一部にかかっているが、図３の状態では図２の状態に比較して、切欠き部２ａと絞り羽根１の重なる面積が大きくなる。
【００３２】
絞り羽根１は、デジタルカメラ１５の電源が切られているとき、つまり光量調節装置への駆動信号が供給されていないときには、図３に示す位置にある。デジタルカメラ１５が放置されるときは、電源が切られた状態のときが最も多いと考えられるため、このときの切欠き部２ａと絞り羽根１の重なる面積を最も大きくして、絞り羽根１と仕切り板２の固着を防止しているのである。
【００３３】
図５および図６に、この本発明の別の実施例に係わる光量調節装置を示す。この光量調節装置は、仕切り板２の代わりに仕切り板５２を備えている点のみが図１乃至図４に示す光量調節装置とは異なっている。仕切り板５２は切欠き部５２ａを複数有しており、絞り羽根１の絞り開口部１ａが地板開口部５ａ上に挿入された状態では、絞り羽根１はいずれの切欠き部５２ａ上にも位置しない。このように、仕切り板に形成される切欠き部の形状や大きさは図１乃至４に示すものに限定されるものではなく、無論図５、図６に示すものに限定されるものでもない。本発明の目的が達成されるものであれば、仕切り板に形成される切欠き部は自由な形状、大きさとすることができる。
【００３４】
次に、上記光量調節ユニットを具備するデジタルカメラ１５の電源オンから撮影終了までの一連の動作を、図１３のフローチャートにより説明する。
【００３５】
使用者がバリア１８を操作してデジタルカメラ１５の電源スイッチ４５をオンにすると（＃１）、ＣＰＵ４０はズームモータ駆動部２６に指令を出し、沈胴位置にある撮影レンズ鏡筒１０を繰り出す為にズームモータ２６ａをＣＷ方向（時計回り）に回転させる（＃２）。そして、撮影レンズ鏡筒１０が図７に示す撮影位置まで繰り出したことを確認すると、ズームモータ２６ａの駆動を停止させる（＃３）。
【００３６】
次に、使用者によりレリーズボタン１１がオンされると（＃４）、測光部１３ａにより測光動作を行い、被写体の輝度情報を得るとともに、測距部１３ｂにより被写体までの距離を算出する（＃５）。そして、得られた輝度情報が既定の輝度より高輝度かどうかを判定し、高輝度の場合は（＃６のＹＥＳ）、絞り羽根１を光軸内に侵入させ（図２参照）、入射光量を変化させる（＃７）。一方、得られた輝度情報が既定の輝度より低輝度の場合は（＃６のＮＯ）、絞り羽根１の動作は行わず、光軸より退避した状態（図３参照）にしておく。
【００３７】
その後、フォーカスモータ駆動部２８によりフォーカスモータ２８ａを駆動してフォーカス部材２７を作動させ、上記被写体距離から得られる焦点情報に基づいて撮影レンズ鏡筒１０を駆動して、被写体のピントが合う位置へ撮影レンズを移動させ（＃８）、そこで画像の取り込みを開始する（＃９）。次に、シャッタ羽根３を開状態から閉状態へ移動させ（＃１０）、入射光量を遮り、画像取り込みは終了となる（＃１１）。その後、絞り羽根１を光軸から退避させ（＃１２）、フォーカス部材２７を初期位置に移動（＃１３）させて一連の動作を終了する。
【００３８】
次に、使用者がデジタルカメラ１５の電源スイッチ４５をオフにした際の動作について、図１４のフローチャートを用いて説明する。
【００３９】
使用者がデジタルカメラ１５の電源スイッチ４５をオフにすると（＃１１）、まずシャッタ羽根３を閉位置に移動させる（＃１２）。そして、次に絞り羽根１を退避位置（図３参照）への移動を開始し、該絞り羽根１が所定の位置まで移動したことを確認すると（＃１３）、ズームモータ２６ａを反時計回り（ＣＣＷ方向）に回転させ（＃１４）、撮影レンズ鏡筒１０を所定の位置（図７の沈胴位置）に収納させる（＃１５）。これにより電源スイッチ４５がオフされた際の動作を終了する。
【００４０】
このように本実施例の光量調節装置は、地板５にシャッタ羽根３及び絞り羽根１が具備され、互いの羽根の間に仕切り板２を備えている。絞り羽根１が仕切り板開口部２ｂから退避した状態で、仕切り板２の絞り羽根１と重なる位置に切欠き部２ａが設けてあるので、高湿状態になったときでも、仕切り板２と絞り羽根１の密着力を減少させることができる。別言すれば、絞り羽根１を駆動するためのアクチュエータ（即ち、絞り駆動部６や駆動回路３７）のトルクを強くするために該アクチュエータを大型化したり、電力を上げたりすること無く、また特別に部品を追加することもない。よって、上記構成の光量調節ユニットを備えたデジタルカメラ１５が悪環境下におかれ、結露等の状況になったとしても、スムーズに絞り羽根１を動作させることが可能となる。
【００４１】
また、不使用時には、常に絞り羽根１を開放の状態にし、仕切り板２の切欠き部２ｂと絞り羽根１を重複させている。よって、高湿状態になったときでも、仕切り板２と絞り羽根１の密着力を減少させるようにしているので、絞り羽根１を駆動させる際に該絞り羽根１をスムーズに動作させることができる。
【００４２】
また、仕切り板２の切欠き部２ｂは、シャッタ羽根３が開位置の状態のときにシャッタ位置と重複する位置に設けても構わない（シャッタ羽根３が閉位置のときは、シャッタ羽根３が仕切り板開口部２ｂと重複するため、シャッタ羽根３と仕切り板２との間に結露は生じにくい）。高湿状態になったときでも、仕切り板１とシャッタ羽根３の密着力を減少させ、シャッタ羽根３をスムーズに動作させることができる。
【００４３】
（変形例）
上記実施例では、デジタルカメラに適用した例を示しているが、同様の光量調節ユニットを持つビデオカメラや銀塩フィルムを使用するアナログカメラ等でも同じ構成をとることで、結露中でもスムーズに絞り羽根を動作させることができるものである。
【図面の簡単な説明】
【００４４】
【図１】本発明の一実施例に係わる光量調節装置を示す分解斜視図である。
【図２】図１の光量調節装置において絞り羽根を光路内に進入させた状態を示す正面図である。
【図３】図１の光量調節装置において絞り羽根を光路外に退避させた状態を示す正面図である。
【図４】図１の光量調節装置の断面図である。
【図５】本発明の別の実施例に係わる光量調節装置を示す分解斜視図である。
【図６】図５の光量調節装置において絞り羽根を光路内に進入させた状態を示す正面図である。
【図７】本発明の一実施例に係わるデジタルカメラにおいて電源オン状態を示す斜視図である。
【図８】本発明の一実施例に係わるデジタルカメラにおいて電源オフ状態を示す斜視図である。
【図９】本発明の一実施例に係わるデジタルカメラにおいて電源オン状態での上面図である。
【図１０】本発明の一実施例に係わるデジタルカメラにおいて電源オフ状態での底面図である。
【図１１】本発明の一実施例に係わるデジタルカメラの背面図である。
【図１２】本発明の一実施例に係わるデジタルカメラの回路構成を示すブロック図である。
【図１３】本発明の一実施例に係わるデジタルカメラにおいて撮影時の動作を示すフローチャートである。
【図１４】本発明の一実施例に係わるデジタルカメラにおいて電源がオフされた際の動作を示すフローチャートである。
【図１５】仕切り板との接触面積を減らすための半球状突起を設けた絞り羽根を示す図である。
【符号の説明】
【００４５】
１            絞り羽根
１ａ          絞り開口部
２，５２      仕切り板
２ａ，５２    切欠き部
２ｂ，５２ｂ  仕切り板開口部
３            シャッタ羽根
４            シャッタカバー
５            地板
５ａ          地板開口部
５ｃ          地板平面部
６            絞り羽根駆動部
７            シャッタ羽根駆動部
９            ＮＤフィルター
１０          撮影レンズ鏡筒
１５          デジタルカメラ
３７          駆動回路
【図１】
2006065297.tif 000003
【図２】
2006065297.tif 000004
【図３】
2006065297.tif 000005
【図４】
2006065297.tif 000006
【図５】
2006065297.tif 000007
【図６】
2006065297.tif 000008
【図７】
2006065297.tif 000009
【図８】
2006065297.tif 000010
【図９】
2006065297.tif 000011
【図１０】
2006065297.tif 000012
【図１１】
2006065297.tif 000013
【図１２】
2006065297.tif 000014
【図１３】
2006065297.tif 000015
【図１４】
2006065297.tif 000016
【図１５】
2006065297.tif 000017